(57)【要約】【課題】  整流板を備えた排気装置に簡便に装着できるとともに、汚染成分の捕捉処理に有効なフィルタ装置及びその取り付け方法を提供する。【解決手段】  排気ユニット１の排気口Ｅと整流板３との間の環状通気口４をフィルタ装置でカバーする。フィルタ装置は、整流板３の周壁３ａと環状排気口４とをカバー可能なフィルタ本体６と、周壁３ａの端部で収縮して仮止め可能な仮止め手段（伸縮性紐状体）７とを備えており、環状通気口４は、フィルタ本体６の延出部６ｂの端部を仮止め手段８によりフードＦの内壁で仮止めすることによりカバー可能である。通気口はコ字状通気口であってもよく、フィルタ本体は通気口に対応した延出部又は余剰部を備えている。また、整流板の周壁及び通気口をカバー可能な帯状部を有するフィルタ本体（環状フィルタ本体など）と、整流板の周壁の両側部で仮止め可能な２つの環状伸縮性紐状体とを備えていてもよい。【選択図】      図１
2005127645.tif 000002
【特許請求の範囲】
【請求項１】
排気口を有する排気ユニットと、前記排気口のフロント部に配設された整流板とを備えた排気装置に取付けるためのフィルタ装置であって、少なくとも前記整流板と関連して仮止め可能であり、かつ前記排気口と整流板との間の通気口をカバー可能な延出又は余剰域を有するフィルタ本体で構成されているフィルタ装置。
【請求項２】
通気口が少なくとも線状開口部で構成された通気口であり、フィルタ本体が、前記通気口とともに、整流板の少なくとも周壁面をカバー可能である請求項１記載のフィルタ装置。
【請求項３】
通気口が環状又はコ字状通気口である請求項１又は２記載のフィルタ装置。
【請求項４】
フィルタ本体が、整流板に対してフィルタ本体を収縮力により仮止め可能な伸縮性紐状体と、この紐状体の外方域に形成され、かつ通気口をカバー可能な延出部又は余剰部とを備えている請求項２記載のフィルタ装置。
【請求項５】
フィルタ本体のうち整流板の周縁部よりも外方域に伸縮性紐状体が取り付けられ、この伸縮性紐状体が、少なくとも整流板の外周壁でフィルタ本体に緊張力を作用させて、整流板の周壁の端部で収縮して仮止め可能である請求項２〜４のいずれかに記載のフィルタ装置。
【請求項６】
整流板よりもサイズが大きな相似形フィルタ本体と、このフィルタ本体のうち整流板の周縁部よりも外方域に取り付けられ、かつ整流板の周壁の端部で収縮して仮止めするための伸縮性紐状体と、この紐状体の外方域に形成され、かつ環状又はコ字状通気口をカバー可能な環状又はＵ字状延出部又は余剰部とを備えている請求項１記載のフィルタ装置。
【請求項７】
整流板の周壁及び通気口をカバー可能な帯状部を有するフィルタ本体と、このフィルタ本体のうち前記整流板の周壁の両側部に対応する部位に取り付けられ、かつ整流板の外周壁において内方への緊張力を作用させて、整流板の周壁の両側部で仮止め可能な２つの環状伸縮性紐状体とを備えている請求項１記載のフィルタ装置。
【請求項８】
少なくとも整流板の周壁と環状又はコ字状通気口とをカバー可能な幅の帯状部を有する環状フィルタ本体と、この環状フィルタ部材のうち前記整流板の周壁の両側部に対応する部位に取り付けられ、かつ整流板の外周壁において緊張力を作用させて、整流板の周壁の両側部で仮止め可能な２つの伸縮性紐状体とを備えている請求項１記載のフィルタ装置。
【請求項９】
少なくとも通気口をカバー可能な幅を有する帯状の環状フィルタ本体と、前記通気口をカバーした状態で、この環状フィルタ本体を少なくとも整流板の周壁で仮止め可能な仮止め手段とを備えている請求項１記載のフィルタ装置。
【請求項１０】
少なくとも環状又はコ字状通気口をカバー可能な幅を有する帯状の環状フィルタ本体と、この環状フィルタ本体を排気口の内壁と整流板の周壁又は外壁とに仮止めして取り付けるための仮止め手段とを備えている請求項９記載のフィルタ装置。
【請求項１１】
整流板が排気ユニットに対して着脱可能又は排気口のフロント部を開閉可能であるとともに、整流板の周縁部が排気口側へ屈曲した周壁を形成している請求項１記載のフィルタ装置。
【請求項１２】
フィルタ本体の周縁部及び／又は排気口の内壁に、連続して又は間隔をおいてフィルタ本体を仮止めするための仮止め手段が取り付けられている請求項１記載のフィルタ装置。
【請求項１３】
排気口を有する排気ユニットと、前記排気口のフロント部に配設された整流板とを備えた排気装置にフィルタ装置を取付けるための方法であって、少なくとも前記整流板と関連してフィルタ本体を仮止め手段により仮止めし、前記排気口と整流板との間の通気口を前記フィルタ本体の延出又は余剰域でカバーするフィルタ装置の取付方法。
【発明の詳細な説明】
【技術分野】
【０００１】
本発明は、換気口のフロント部に整流板（又は遮蔽板）が配設された構造を有する排気装置（又は整流板付排気口）に対して取付が容易であるとともに、換気口と整流板との間の環状排気口をカバーし、塵芥や油煙などの排出を防止するのに有用なフィルタ装置及びその取付方法に関する。
【背景技術】
【０００２】
室内などの空間に存在する塵芥や油煙成分などを捕捉して排出するため、排気口を有する排気ユニットには、通常、フィルタが装着されている。前記排気ユニットに装着するためのフィルタとして、特開平１１−３００１３０号公報（特許文献１）には、レンジフードのフィルタ装置として、レンジフードの排気口に着脱可能に配設される金属製フィルタのフロント面をカバー可能なフィルタと、このフィルタを、前記フロント面で緊張させて前記金属製フィルタに取り付けるための紐状体とで構成されているフィルタ装置が開示されている。この文献には、紐状体として収縮可能な紐状体も記載されている。特開平９−１９２４２８号公報（特許文献２）には、周縁部に帯状部が形成されたフィルタと、このフィルタの周縁部を収縮可能な紐状体とを有する換気口用カバーが開示されている。このようなフィルタ又はカバーは紐状体を利用して換気口に容易に取り付けることができる。
【０００３】
一方、排気装置として、排気口を有する排気ユニットと、この排気ユニットの排気口のフロント部に配設された整流板とを有する排気装置（又は整流板付き排気口）が普及しつつある。この排気装置は、通常、台所などの排気源の上方に取り付けられる。前記排気装置では、排気ユニットの排気口と整流板との間に形成される環状排気口（例えば、四角状の環状排気口）を利用して排気するため、整流板により排ガスを環状排気口に案内しつつ、換気効率（排気ガスの吸引速度）を高めることができる。また、整流板が平面形状であるため、排気ユニットの美観を高めるとともに、整流板の平面部の清掃作業も簡単に行うことができる。
【０００４】
しかし、排気口が環状であるため、前記フィルタやカバーを、美観を損なうことなく、整流板付き排気装置に簡便かつ効率よく装着できない。例えば、排気口を前記フィルタやカバーでカバーするためには、排気ユニットの外周部にフィルタなどを取り付ける必要がある。しかし、排気ユニットの外周部にフィルタを取り付けると、排気ユニットのフロント部の全てがフィルタで覆われるとともに、フィルタが排気ユニットから下方に垂下しやすくなるため、排気ユニットのデザイン性および外観が損なわれる。特に、塵芥や油煙成分を捕捉又は除去するためには環状排気口だけをカバーすればよいにも拘わらず、排気ユニット全体をカバーする必要があり、フィルタを排気ガスの捕捉処理に有効に利用できない。
【０００５】
さらに、環状排気口から流入した排ガス中の汚染成分（塵芥や油煙成分など）は、環状排気口に通じる環状流路だけでなく、整流板の裏面を含む排気ユニットの内壁も汚染する。そのため、排気ユニットを清掃するためには、整流板を排気ユニットからはずして、整流板の裏面を清掃する必要があるだけでなく、排気ユニットが上方（又は高所）に位置するため、排気ユニットの内壁の清掃作業には困難性が伴う。そのため、排気ユニットの清掃作業が煩雑化する。
【特許文献１】特開平１１−３００１３０号公報（特許請求の範囲）
【特許文献２】特開平９−１９２４２８号公報（特許請求の範囲）
【発明の開示】
【発明が解決しようとする課題】
【０００６】
従って、本発明の目的は、整流板を備えた排気装置において、簡便に装着できるとともに、排ガスの捕捉処理に有効に利用できるフィルタ装置及びその取り付け方法を提供することにある。
【０００７】
本発明の他の目的は、整流板を備えた排気装置のデザイン性および外観を損なうことなく、塵芥や油煙などの汚染成分を効率よく捕捉処理できるフィルタ装置及びその取り付け方法を提供することにある。
【０００８】
本発明のさらに他の目的は、排気口又は通気口（環状通気口など）を確実にカバーでき、汚染成分の捕捉効率を改善できるフィルタ装置およびその取り付け方法を提供することにある。
【課題を解決するための手段】
【０００９】
本発明者は、前記課題を達成するため鋭意検討した結果、少なくとも整流板にフィルタを取り付け、排気口と関連して形成される環状通気口（又は環状排気口）を前記フィルタの環状域（環状帯域）でカバーすると、換気ユニットのデザイン性や外観を損なうことなく、環状通気口を確実にカバーでき、汚染物質の捕捉効率を向上できることを見いだし、本発明を完成した。
【００１０】
すなわち、本発明のフィルタ装置は、排気口を有する排気ユニットと、前記排気口のフロント部に配設された整流板とを備えた排気装置（整流板付排気口）に取付けるために利用される。このフィルタ装置は、少なくとも前記整流板と関連して仮止め可能であり、かつ前記排気口と整流板との間の通気口（環状又はコ字状通気口など）をカバー可能な延出又は余剰域（環状域又は環状帯など）を有するフィルタ本体で構成されている。このようなフィルタ装置では、前記フィルタ本体を整流板に仮止めし、フィルタ本体の延出又は余剰域（環状域又は環状帯など）で環状通気口をカバーすることにより、排ガス中の汚染物質を捕捉し除去できる。特に、フィルタ本体のうち通気口（環状通気口など）に対応する部位又は領域が帯状（環状など）の延出又は余剰部として形成されているため、通気口を確実かつ簡便にカバーできる。
【００１１】
通気口は、少なくとも線状開口部で構成された通気口（例えば、環状、コ字状、Ｌ字状などの通気口）であり、前記フィルタ本体は、前記通気口とともに、整流板の少なくとも周壁面をカバー可能であってもよい。さらに、フィルタ本体は、通気口をカバー可能である限り、整流板に対応する底部（又は凹部）を有する立体形状であってもよく、環状（枠状シートや筒状など）であってもよい。このようなフィルタ本体では、整流板の周壁面もカバーできるため、取り付けが容易であるとともに、清掃作業が煩雑な整流板の周壁面の汚染も防止できる。
【００１２】
この種のフィルタ装置は、例えば、（Ａ）フィルタ本体（例えば、筒状フィルタ本体）が、整流板に対してフィルタ本体を収縮力により仮止め可能な伸縮性紐状体と、この紐状体の外方域に形成され、かつ通気口（環状、コ字状、Ｌ字状通気口など）をカバー可能な延出又は余剰部とを備えているフィルタ装置と、（Ｂ）少なくとも通気口（環状又はコ字状通気口など）をカバー可能な幅を有する帯状の環状フィルタ本体（例えば、枠状又は筒状フィルタ本体）と、前記通気口（環状又はコ字状通気口など）をカバーした状態で、この環状フィルタ本体を少なくとも整流板の周壁（又は外壁）で仮止め可能な仮止め手段とを備えているフィルタ装置とに大別できる。
【００１３】
伸縮性紐状体を備えた第１のフィルタ装置（Ａ）は、例えば、（a1）フィルタ本体のうち整流板の周縁部よりも外方域に伸縮性紐状体が取り付けられ、この伸縮性紐状体は、少なくとも整流板の外周壁でフィルタ本体に緊張力が作用させて、整流板の周壁の端部で収縮して仮止め可能であってもよく、（a2）整流板よりもサイズが大きな相似形フィルタ本体と、このフィルタ本体のうち整流板の周縁部よりも外方域に取り付けられ、かつ整流板の周壁の端部で収縮して仮止めするための伸縮性紐状体と、この紐状体の外方域に形成され、かつ環状又はコ字状通気口をカバー可能な環状又はＵ字状延出部又は余剰部とを備えていてもよい。さらに、フィルタ本体は環状フィルタ本体（筒状フィルタ本体）であってもよい。伸縮性紐状体を備えた第１のフィルタ装置（Ａ）は、例えば、（a3）少なくとも整流板の周壁及び通気口（環状又はコ字状通気口など）とをカバー可能な帯状部（所定幅の帯状部）を有するフィルタ本体（環状又は筒状フィルタ本体など）と、このフィルタ部材のうち前記整流板の周壁の両側部に対応する部位に取り付けられ、かつ整流板の外周壁において緊張力を作用させて、整流板の周壁の両側部で仮止め可能な２つの伸縮性紐状体とを備えていてもよい。
【００１４】
前記フィルタ装置（Ａ）では、伸縮性紐状体を利用して整流板にフィルタ本体を簡単な操作で取り付けることができるとともに、紐状体の外方域の環状延出部で環状通気口をカバー可能である。
【００１５】
前記第２のフィルタ装置（Ｂ）は、環状フィルタ本体と、環状通気口をカバーした状態で、少なくとも整流板の周壁又は外壁でフイルタ本体を取り付け可能であればよい。例えば、（b1）少なくとも環状又はコ字状通気口をカバー可能な幅を有する帯状の環状フィルタ本体（例えば、枠状シート又はシート状枠体）と、この環状フィルタ本体を排気口の内壁と整流板の周壁（又は外壁）とに仮止めして取り付けるための仮止め手段とを備えていてもよい。
【００１６】
フィルタ装置（Ｂ）では、フィルタ本体が環状又は筒状であるため、環状フィルタ本体で環状通気口を容易にカバーできるとともに、整流板の周壁で環状フィルタ本体を容易に仮り止めできる。
【００１７】
さらに、本発明のフィルタ装置において、フィルタ本体の周縁部及び／又は排気口の内壁には、連続して又は間隔をおいてフィルタ本体を仮止めするための仮止め手段を取り付けてもよい。このようなフィルタ本体は、整流板の周縁部（又は周壁部）で仮止めできるとともに、排気口の内壁でも仮止めできるため、汚染成分による排気ユニット内部の汚染を確実かつ効率よく防止できる。前記整流板は、排気ユニットに対して着脱可能であってもよく、排気口のフロント部を開閉可能であってもよい。また、整流板の周縁部は、排気口の内方側（排気口側）へ屈曲した周壁を形成していてもよい。このような構造の排気ユニットでは、フィルタ本体の取り付け及び交換や清掃作業も簡便に行うことができる。
【００１８】
本発明は、排気口を有する排気ユニットと、前記排気口のフロント部に配設された整流板とを備えた排気装置（又は整流板付排気口）にフィルタ装置を取付けるための方法であって、少なくとも前記整流板と関連してフィルタ本体を仮止め手段により仮止めし、前記排気口と整流板との間の通気口（環状、コ字状又はＬ字状通気口など）を前記フィルタ本体の延出又は余剰域（環状域又は環状帯など）でカバーするフィルタ装置の取付方法も含む。
【発明の効果】
【００１９】
本発明では、フィルタ本体が通気口をカバー可能な延出又は余剰域を有しているため、整流板を備えた排気装置であっても、容易に配設できるとともに、排ガスの捕捉処理効率を高めることができる。また、整流板を備えた排気装置のデザイン性および外観を損なうことなく、塵芥や油煙などの汚染成分を効率よく捕捉処理できる。さらには、仮止め手段や紐状体などにより、排気口を確実にカバーでき、汚染成分の捕捉効率を改善できる。
【発明を実施するための最良の形態】
【００２０】
以下に、添付図面を参照しつつ本発明を詳細に説明する。なお、以下の例において、伸縮性紐状体を用いた例では、伸長状態のフィルタ装置を図示する。
【００２１】
図１は本発明のフィルタ装置の一例を示す概略断面図であり、図２は図１のフィルタ装置を示す概略斜視図であり、図３は排気装置を示す概略斜視図である。
【００２２】
壁面に取り付けられた排気装置（整流板付排気口）は、矩形状排気口Ｅを有するフードＦと、このフードから延びるダクトと、このダクトに配設された排気ファン（図示せず）とで構成された排気ユニット１を備えており、この排気ユニット１又はフードＦの排気口Ｅには金属フィルタ２が配設され、フード（排気口のフロント部）Ｆには、前記排気口Ｅのフロント部を開閉可能な整流板３が着脱可能に取り付けられている。この整流板３は、前記矩形状排気口Ｅに対応して、排気口Ｅよりも小さな相似形（矩形状）に形成されている。そのため、排気口Ｅと整流板３との間には、枠状（四角枠状）又は環状通気口（又は排気口）４が形成される。また、整流板３の周縁部は内方（排気口側）へＬ字状に屈曲した周壁（又は外周壁）３ａを有している。
【００２３】
このような排気装置には、図２に示すフィルタ装置５が取り付け可能である。このフィルタ装置は、不織布などで構成され、かつ整流板３よりもサイズが大きなフィルタ本体６と、このフィルタ本体のうち整流板３の周縁部よりも外方域に取り付けられた仮止め手段としてのリング状伸縮性紐状体７とを備えている。前記フィルタ本体５には、前記整流板３に対応した矩形状凹部６ａが形成され、この凹部の開口部側の周縁には、前記整流板３の周壁（又は外周壁）３ａに対して収縮力によりフィルタ本体６を係止可能な前記伸縮性紐状体７が取り付けられている。さらに、前記環状通気口４をカバーするため、フィルタ本体６のうち前記伸縮性紐状体７の外方域にはフランジ状の環状域（環状延出部、環状余剰部又は矩形帯状部）６ｂが形成されている。この環状域６ｂの幅は前記環状通気口４よりも大きく形成されているとともに、環状域６ｂの外周縁部は、磁石の磁気的吸着力や面ファスナーの機械的係合力により排気口のフード（排気口の内壁）Ｆに仮止め可能である。なお、この例では、排気口のフード（排気口の内壁）Ｆには、環状域６ｂの外周縁部を連続して又は所定間隔をおいて仮止めするための仮止め手段（面ファスナ）８が取り付けられている。
【００２４】
このようなフィルタ装置では、前記整流板３にフィルタ本体６を装着し、伸縮性紐状体７を整流板３の周壁（外周壁）３ａに係止すると、伸縮性紐状体７が整流板３の周壁３ａの端部で収縮し、この収縮力により、フィルタ本体６を排気ユニットに取り付けることができる。しかも、伸縮性紐状体７の収縮力がフィルタ本体６の全周に亘り作用するので、少なくとも整流板３の外周壁３ａでフィルタ本体６に緊張力を作用させて、フィルタ本体６を排気口に対して緊密に取り付けることができ、整流板３とフィルタ本体６との間に隙間が生じるのを防止できる。特に、前記フィルタ本体６のうち伸縮性紐状体７から外方には、排気口のフード（排気口の内壁）Ｆに仮止め可能な環状域６ｂが延びているため、この環状域で、環状通気口（前記整流板により狭められた排気口）４をカバーでき、環状通気口４から排気口への汚染成分の流入を防止できる。
【００２５】
整流板のうち清掃作業が困難な部位の汚染を防止するため、前記フィルタ本体は、環状通気口とともに、整流板の少なくとも周壁面をカバーする場合が多い。図４は本発明のフィルタ装置の他の例を示す概略断面図であり、図５は図４のフィルタ装置を示す概略斜視図である。なお、前記図１〜図３に示すフィルタ装置と同一又は共通する部材又は要素には同一の符号を付して説明する（以下、同じ）。
【００２６】
この例では、フィルタ装置１５は、図５に示されるように、図２に示すフィルタ本体６のうち凹部の底壁がない構造を有している。より詳細には、フィルタ本体１６は、整流板３の周壁３ａをカバー可能な幅を有する矩形枠状又は帯状の環状（又は筒状）フィルタ部（又は帯状部）１６ａと、この環状フィルタ部（又は帯状部）の端縁からフランジ状の形態で延び、環状通気口４をカバー可能な環状域（又は環状延出又は余剰部）１６ｂとで構成されており、前記環状フィルタ部１６ａの周方向には、前記整流板３の周壁３ａの高さ（すなわち、周壁３ａの両側部）に対応して２つの伸縮性紐状体１７ａ，１７ｂが取り付けられている。すなわち、前記環状フィルタ部１６ａの開口縁部と、前記整流板３の周壁３ａの高さに対応し、かつ前記開口縁部から離れた前記環状フィルタ部１６ａの所定の周方向とには、２つの伸縮性紐状体１７ａ，１７ｂが取り付けられている。
【００２７】
このようなフィルタ装置では、図４に示されるように、２つの伸縮性紐状体１７ａ，１７ｂを伸張させてフィルタ本体１６の環状フィルタ部１６ａで整流板３の外周壁３ａを覆い、伸縮性紐状体１７ａ，１７ｂの伸張を解除して環状フィルタ部１６ａに収縮力を作用させることにより、伸縮性紐状体１７ａ，１７ｂは、少なくとも整流板３の外周壁３ａでフィルタ本体１６に内方への緊張力を作用させて、整流板３の周壁３ａの両側部で収縮して仮止め可能である。すなわち、整流板３の周壁３ａをフィルタ本体１６で緊密にカバー可能であるとともに、２つの伸縮性紐状体１７ａ，１７ｂの収縮力を利用して、簡単な操作で整流板３の周壁３ａに確実かつ強固にフィルタ本体１６を取り付けることができる。また、前記と同様にして、磁石や面ファスナー８を利用して、フィルタ本体１６の外延部を排気口のフード（排気口の内壁）Ｆに仮止めすることにより、すなわち環状域（又は環状延出部）１６ｂで環状通気口４をカバーでき、環状通気口４から排気口への汚染成分の流入を防止できる。
【００２８】
なお、フィルタ本体に対する２つの伸縮性紐状体の取り付け部位は、整流板の周壁をカバー可能であれば特に制限されず、例えば、一方の伸縮性紐状体を、開口縁部ではなく、環状フィルタ部の内側（開口縁部よりも内方域）に取り付けてもよい。
【００２９】
前記の例において、フィルタ本体のうちフランジ状に延びる環状域（又は環状延出部、環状余剰部）は柔軟である必要はなく、環状通気口をカバーして装着可能であればよく、装着性を損なわない範囲で樹脂含浸などにより剛性又は形状保持性を有していてもよい。また、前記フィルタ本体において、フランジ状に延びる環状域（又は環状延出部）は必ずしも必要ではなく、全体の形状が筒状又は帯状の環状フィルタ本体であってもよい。図６は本発明のフィルタ装置のさらに他の例を示す概略斜視図であり、図７は本発明のフイルタ装置の別の例を示す概略斜視図である。
【００３０】
図６及び図７に示すフィルタ装置２５，３５は、整流板３の周壁３ａおよび環状通気口４をカバー可能な幅の帯状部を有する環状（筒状）のフィルタ本体２６，３６と、この環状フィルタ本体のうち前記整流板３の周壁３ａの両端（又は両側部）に対応する部位には周方向に取り付けられた２つの伸縮性紐状体２７ａ，２７ｂ，３７ａ，３７ｂとを備えており、これらの伸縮性紐状体のうち内側紐状体２７ａ，３７ａから外方向の領域（又は内方域）には、環状通気口４をカバーするために環状域（環状帯域、環状延出部）２６ｂ，３６ｂが形成されている。なお、図６に示す例では、２つの伸縮性紐状体２７ａ，２７ｂは、所定間隔離れて環状フィルタ本体２６の内側に取り付けられており、図７に示す例では、２つの伸縮性紐状体３７ａ，３７ｂのうち一方の紐状体３７ｂは開口縁部又は端部に取り付けられている。
【００３１】
このようなフィルタ装置２５，３５でも、前記図４および図５に示すフィルタ装置と同様に、２つの伸縮性紐状体２７ａ，２７ｂ，３７ａ，３７ｂの伸張および解除により、整流板３の外周壁３ａでフィルタ本体２６，３６に緊張力を作用させて、整流板３の周壁３ａの端部（両側部）で伸縮性紐状体２７ａ，２７ｂ，３７ａ，３７ｂを収縮して仮止め可能であり、整流板３の外周壁３ａをフィルタ本体２６，３６で緊密にカバー可能であるとともに、整流板３の周壁３ａに確実かつ強固にフィルタ本体２６，３６を取り付けることができる。また、前記と同様にして、磁石や面ファスナー８などの仮止め手段を利用して、環状域（又は環状帯部）２６ｂ，３６ｂで環状通気口４をカバーできる。
【００３２】
さらに、フィルタ装置は、前記に限らず種々の構造のフィルタ装置が採用できる。図８は本発明のさらに別のフィルタ装置を示す概略図である。
【００３３】
このフィルタ装置４５は、帯状体で構成された環状フィルタ本体４６と、この環状フィルタ本体の幅方向に所定の間隔をおいて周方向に取り付けられた２つの伸縮性紐状体４７ａ，４７ｂとを備えている。この例では、２つの伸縮性紐状体４７ａ，４７ｂからそれぞれ外方向（内外方向）の領域には環状域（又は環状延出部、環状余剰部）４６ｂ，４６ｃが形成されている。なお、フィルタ本体４６のうち２つの伸縮性紐状体４７ａ，４７ｂ間の領域は、整流板の周壁の外周面をカバー可能である。そして、この例では、通気口をカバーするための環状域（又は環状延出部、環状余剰部）４６ｂの幅は、取付状態で整流板のフロント側に位置する伸縮性紐状体４７ｂの外方域の環状域（又は環状延出部、環状余剰部）４６ｃよりも幅狭に形成されている。なお、通気口をカバーするための環状域（又は環状延出部、環状余剰部）４６ｂの幅は、伸縮性紐状体４７ｂの外方域の環状域（又は環状延出部、環状余剰部）４６ｃよりも大きく形成してもよい。
【００３４】
なお、フィルタ本体のうちフランジ状に延びる環状域（又は環状延出部、環状余剰部）は柔軟である必要はなく、樹脂含浸などにより剛性又は形状保持性を有していてもよい。前記整流板は、通常、排気ユニットに対して着脱可能であるか、又はヒンジなどを利用して排気口のフロント部を開閉可能である。そのため、排気ユニットに対して整流板を離反又は取り外した状態で環状フィルタ本体は、整流板の周壁又は側壁の適所（内側など）に取り付けた後、整流板を排気ユニットに装着することもできる。図９は本発明のフィルタ装置の他の例を示す概略断面図であり、図１０は図９のフィルタ装置を示す概略斜視図である。
【００３５】
この例では、フィルタ装置５５は、少なくとも環状通気口４をカバー可能な幅（又は環状通気口よりも若干大きな幅）を有する帯状の環状フィルタ本体（四角枠状フィルタ本体）５６で構成されており、この環状フィルタ本体は、整流板３と相似形の環状（四角枠状）に形成されている。また、環状フィルタ本体５６は、フィルタを構成する不織布を補強手段（樹脂含浸、補強繊維の混紡など）で補強することにより比較的大きな剛性（又は自己保形性）を有している。この環状フィルタ本体５６は、整流板３の周壁３ａの内面に装着され、かつ周壁３ａの内面の仮止め手段又は取付手段（面ファスナ、粘着剤や接着剤など）５７を介して取り付け可能であり、取付状態で環状通気口４をカバー可能である。すなわち、環状フィルタ本体５６の外周端部（図示する例では、外周下端部）を前記仮止め又は取付手段５７により整流板３の周壁３ａの内面に取り付けることにより、環状フィルタ本体５６の剛性を利用して起立状態で環状通気口４をカバー又は閉塞可能である。
【００３６】
このようなフィルタ装置５５は、環状フィルタ本体５６が形状保持性を有しているため、整流板３の周壁３ａの内壁に環状フィルタ本体５６の端部を簡便かつ効率よく仮止めでき、環状通気口４を環状フィルタ本体５６で遮蔽又はカバーして、整流板３を排気ユニット１に装着できる。そのため、フィルタ装置５５が簡単な構造でありながら、環状通気口４を簡便かつ効率よく封鎖又はカバーすることができる。
【００３７】
図１１は図９及び図１０に示すフィルタ装置の変更例を示す概略断面図である。
【００３８】
この例では、フィルタ装置は、図９及び図１０に示すフィルタ装置（又は環状通気口４）よりも幅広で柔軟な環状フィルタ本体（矩形枠状環状フィルタ本体）６６で構成されている。そのため、整流板３の周壁３ａの内壁に環状フィルタ本体６６の一方の端部を仮止め又は取付手段（面ファスナー、磁石、粘着剤や接着剤など）５７により仮止めし、整流板３を排気ユニット１に装着することにより、環状フィルタ本体６６の他方の端部をフード（排気口の内壁）Ｆと接触（又はフード面に追従）させて環状通気口４をカバーできる。特に、環状フィルタ本体６６の他方の端部（フード側の端部）を、気流の流入方向に対して反対方向（外側方向）にアーチ状に湾曲させた状態で環状フィルタ本体６６を装着できる。そのため、環状通気口４から汚染成分を含む気体を排気しても、確実に形状を保持しつつ、汚染成分を捕集できる。また、環状フィルタ本体６６の他方の端部をフード（排気口の内壁）Ｆに仮止めするための仮止め手段は必ずしも必要ではない。
【００３９】
なお、環状フィルタ本体の柔軟性や剛性は、不織布に対する樹脂の含浸量により調整でき、樹脂の含浸量は、例えば、環状フィルタ本体の不織布１００重量部に対して１〜５０重量部、好ましくは３〜３０重量部、さらに好ましくは５〜２０重量部程度であってもよい。
【００４０】
また、環状通気口を確実に封鎖するため、環状通気口内に配設又は装着される中空環状のフィルタ本体（例えば、前記環状フィルタ本体５６，６６）の他方の端部（外周又は内周他端部、図示する例では上端部）は、前記と同様に、仮止め又は取付手段（磁石などの磁気的吸引力、面ファスナーなどの機械的係合力、粘着剤などの接着力など）を利用して、排気口のフード（内壁）Ｆに対して仮止め又は取付してもよい。
【００４１】
さらに、整流板に対する取付性を高めるため、樹脂の含浸（例えば、環状フィルタ本体１００重量部に対して１０〜３０重量部程度の含浸）などにより環状フィルタ本体の一方の端部側の剛性を大きくし、必要であれば少量の樹脂の含浸（例えば、環状フィルタ本体１００重量部に対して０〜５重量部程度の含浸）により排気口のフード（排気口の内壁）に対して接触する他方の端部側（当接部）を柔軟に形成してもよい。また、柔軟性を有する領域の幅は、環状フィルタ本体全体の幅に対して２〜６０％（好ましくは５〜５０％。さらに好ましくは１０〜３０％）程度であってもよい。
【００４２】
また、整流板に対する環状フィルタ本体の仮止め箇所は、整流板の周壁の内面に限らず外面（又は外壁）であってもよい。
【００４３】
なお、前記の例において、フィルタ本体は、少なくとも筒状部を有しており、この筒状部は、図１及び図２に示すように有底筒状であってもよく、図４〜図１１に示すように両端開口の筒状部であってもよい。
【００４４】
図１２は本発明のフィルタ装置のさらに他の例を示す概略断面図であり、図１３は図１２のフィルタ装置を示す概略斜視図である。
【００４５】
この例では、フィルタ装置７５は、矩形状整流板に対応した平面状の環状（又は枠状）シート（又はシート状枠体）で構成された環状フィルタ本体７６を備えており、この環状フィルタ本体は、全周に亘り断面湾曲状（Ｕ字状、Ｖ字状など）の形態に湾曲又は屈曲可能である。フィルタ装置７５は、断面Ｕ字状の形態でフィルタ本体７６を環状通気口４に仮止めするため、フィルタ本体７６の外周両端部を、フード（排気口）Ｆの内壁と整流板３の周壁３ａの外壁とに仮止めするための仮止め手段（面ファスナー、接着剤など）７７も備えている。図示する例では、環状（又は枠状）フィルタ本体７６は、環状通気口４を形成するフード（排気口の内壁）Ｆ及び整流板３の周壁３ａに対して逆Ｕ字状又は逆Ｖ字状（すなわち、汚染成分を含む気体の流入方向に膨出させた形態）に湾曲させて取り付けられている。
【００４６】
なお、シート状フィルタを全体に亘り湾曲させると角部で皺が生成し、環状通気口を緊密に封鎖できない場合がある。このような場合、シート状フィルタのコーナー部には、隣接する部位を重ね合わせ可能にするため、放射方向に延びる切り込み又は折り畳み線を形成してもよい。
【００４７】
図１４は図１２及び図１３のフィルタ装置の変更例を示す概略斜視図である。この例では、フィルタ装置８５のフィルタ本体８６は、整流板３の形状に対応した内径を有する環状（又は四角枠状）シートで構成された環状フィルタ部又は環状域（又は環状延出部、環状帯域）８６ａと、この環状域の内縁及び外縁からそれぞれ垂下又は立設する所定幅の環状延出部８６ｂ，８６ｃとで構成されている。すなわち、フィルタ装置８５は、断面Ｕ字状又はコ字状のフィルタ本体（又はフィルタ枠体）８６で構成されている。このようなフィルタ本体８６は、断面逆Ｕ字状の形態で、前記環状通気口４を形成するフード（排気口の内壁）Ｆと整流板３の周壁３ａとに対して、外環状延出部８６ｂと内環状延出部８６ｃとを、それぞれ、前記と同様の仮止め又は取付手段により仮止めすることにより、環状通気口４をカバー可能である。なお、このフィルタ本体は剛性又は形状保持性を有していてもよい。
【００４８】
なお、環状又は枠状シート（又はシート状枠体）で構成されたフィルタ本体は、環状通気口を形成するフード（排気口の内壁）及び整流板の周壁に対して断面Ｕ字状又はＶ字状（汚染成分を含む気体の流入方向に対して逆方向、すなわち環状通気口の開口方向に膨出させた形態）に湾曲又は屈曲させてもよい。また、このフィルタ本体は、環状通気口の適所、例えば、環状通気口の深部で取り付けてもよいが、通常、環状通気口の汚染を抑制するため、環状通気口の流入側（又は流入端部）に取り付ける場合が多い。
【００４９】
前記の例では、フード（排気口の内壁）と整流板とで環状通気口が形成されている排気装置（整流板付排気口）又は排気ユニットについて説明したが、通気口は、前記排気口と整流板との間の環状通気口である必要はなく、フードの排気口の形状と整流板の形状に応じて種々の形態の通気口であってもよい。すなわち、整流板の形状は矩形状に限らず種々の形状（円形状、楕円状、多角形状など）が採用できる。フードと整流板との間に形成される前記通気口は、通常、少なくとも線状開口部で構成されており、例えば、直線状通気口、Ｌ字状通気口、コ字状又はＵ字状通気口、環状又は枠状通気口であってもよい。そのため、本発明では、フィルタ本体は、前記通気口の形態に応じて、通気口をカバー又は封鎖可能な延出又は余剰域を有していればよい。
【００５０】
図１５は本発明のフィルタ装置のさらに別の例を示す概略斜視図であり、図１６は図１５のフィルタ装置が装着可能な排気装置を示す概略斜視図である。
【００５１】
この例では、排気装置（整流板付排気口）は、矩形状排気口Ｅを有するフードＦと、フード（排気口のフロント部）Ｆに着脱可能に取り付けられ、かつ前記排気口Ｅのフロント部を開閉可能な整流板１３とを備えており、この整流板１３は、前記矩形状排気口Ｅに対応して、排気口Ｅよりも小さな相似形（矩形状）に形成されているものの、排気口Ｅの一方の側（この例では、奥方向）にシフトして取り付けられ、前記シフト側（例えば、奥部）では気体の流入が規制されている。そのため、排気口Ｅと整流板１３との間には、３方向から気流が流入可能なコ字状通気口（又は排気口）１４が形成されている。なお、前記と同様に、前記整流板１３の周縁部は内方（排気口側）へＬ字状に屈曲した周壁（又は外周壁）１３ａを有している。
【００５２】
一方、フィルタ装置９５は、整流板１３の周壁１３ａおよび前記通気口１４をカバー可能な所定幅及び長さの帯状フィルタ本体９６と、このフィルタ本体のうち前記整流板１３の周壁１３ａの両端（又は両側部）に対応する部位に所定間隔離れて周方向に取り付けられた２つの伸縮性紐状体９７ａ，９７ｂとを備えており、これらの伸縮性紐状体のうち内側紐状体９７ａから外方向の領域（又は内方域）には、コ字状通気口１４をカバーするために帯状延出部又は余剰部９６ｂが形成されている。さらに、前記帯状フィルタ本体９６の両端部は、非伸縮又は伸縮性紐状体９７ｃで連結されている。なお、帯状フィルタ本体９６の両端部は、紐状体９７ｃと集束して一体化している。
【００５３】
このようなフィルタ装置９５では、前記帯状フィルタ本体９６の両端部を連結する紐状体９７ｃを、整流板１３のうちシフト側（この例では、気体の流入が規制された側の奥部）の周壁１３ａの内側に係止させ、前記図４および図５に示すフィルタ装置と同様に、２つの伸縮性紐状体９７ａ，９７ｂの伸張および解除により、整流板１３の外周壁１３ａを伸縮性紐状体９７ａ，９７ｂ間のフィルタ部９６ａでカバーしつつ、フィルタ本体９６に緊張力を作用させて、整流板１３の周壁１３ａの端部（両側部）で伸縮性紐状体９７ａ，９７ｂを収縮して仮止め可能である。そのため、整流板１３の外周壁１３ａをフィルタ本体９６で緊密にカバー可能であるとともに、整流板１３の周壁１３ａに確実かつ強固にフィルタ本体９６を取り付けることができる。また、前記と同様にして、磁石や面ファスナー８などの仮止め手段を利用して、延出部又は余剰部９６ｂで環状通気口１４をカバーできる。
【００５４】
なお、整流板１３のうち気体の流入が規制された側の周壁１３ａに緊密に紐状体を密着させるため、伸縮性紐状体９７ａと帯状フィルタ本体９６の両端部を連結する紐状体９７ｃとは一体化してもよく同一の伸縮性紐状体で形成してもよい。また、２つの伸縮性紐状体９７ａ，９７ｂは、帯状フィルタ本体９６の両端部で、紐状体９７ｃと合流又は集束しながら一体化してもよい。すなわち、図示するように、帯状フィルタ本体９６の両端部を三角形状に折返し、この折返し部と紐状体９７ｃとを一体化してもよい。また、帯状フィルタ本体９６の両端部を折返し、この折返し部と紐状体９７ｃとを一体化してもよい。さらに、２つの伸縮性紐状体９７ａ，９７ｂと紐状体９７ｃとのうち一方の紐状体を伸縮性紐状体で形成すればよく、２つの紐状体９７ａ，９７ｂを非伸縮性とし、紐状体９７ｃを伸縮性としてもよく、２つの紐状体９７ａ，９７ｂを伸縮性とし、紐状体９７ｃを非伸縮性としてもよい。また、２つの紐状体９７ａ，９７ｂよりも紐状体９７ｃの伸縮強度又は収縮力を大きくしてもよい。
【００５５】
また、図示する例では、他方の伸縮性紐状体９７ｂから外方向の領域（又は外方域）にも、延出部又は余剰部９６ｃを形成しているが、この延出部又は余剰部９６ｃは必ずしも必要ではない。すなわち、２つの伸縮性紐状体のうち一方の紐状体９７ｂは帯状フィルタ本体９６の側縁部に取り付けてもよい。また、延出部又は余剰部９６ｂ，９６ｃの幅は、少なくとも一方の延出部又は余剰部が通気口をカバー可能であればよく、双方の幅は同じであってもよく、異なっていてもよい。
【００５６】
さらに、気体を吸引して通気させるための排気装置（整流板付排気口）においては、整流板は平板状に限らず、湾曲していてもよい。図１７は本発明が適用できる換気装置の他の例を示す概略図であり、この例では、矩形状排気口を有するフードＦと、このフードＦに着脱可能に取り付けられた整流板２３とを備えている。この整流板は、フロント部から奥部に向かって湾曲しているとともに、排気口の一方の側（この例では、奥方向）にシフトして取り付けられ、前記シフト側（例えば、奥部）では気体の流入が規制されている。すなわち、整流板２３のうちフロント側の通気口及び両側部の通気口２４から気体が流入可能である。
【００５７】
このような換気装置において、伸縮性紐状体の収縮力を利用してフィルタ装置を取り付けると、整流板２３のうち湾曲部においてフィルタ本体が整流板２３から遊離する可能性がある。このような換気装置又は換気ユニットでは、前記湾曲部の周壁において前記仮止め又は取付手段を用い、フィルタ本体が湾曲部で遊離するのを規制するのが有利である。また、必要であれば、整流板２３のフロント面に前記仮止め又は取付手段を取り付け、整流板２３のフロント面からフィルタ本体が遊離するのを防止してもよい。
【００５８】
本発明のフィルタ装置では、フィルタ本体が取り付け可能である限り、整流板の周壁又は側壁は必ずしも必要ではないが、整流板は周壁又は側壁を有している場合が多い。整流板の周縁部は、排気口の内方側（排気口側）へ屈曲した周壁を形成していてもよい。整流板の周壁又は側壁は連なっている必要はなく、規則的又は非規則的に間隔をおいて側壁を形成してもよい。
【００５９】
フィルタ本体は、少なくとも通気口をカバー又は遮蔽可能なサイズを有していればよく、整流板のフロント面を覆うタイプのフィルタ本体では、通常、整流板よりもサイズが大きく、整流板と相似形に形成されている場合が多い。そのため、フィルタ本体も整流板の形状に応じて形成できる。筒状フィルタ（筒状部）を備えたフィルタ本体（筒状フィルタ本体）は、通常、整流板の端部や周壁などの汚染（油煙成分の付着など）を防止するため、通気口とともに、整流板の少なくとも周壁面をカバー可能であるのが好ましい。
【００６０】
フィルタ本体のうち紐状体の外方域に形成される延出又は余剰部（環状域、環状帯など）は、前記排気口と整流板との間の通気口（環状通気口など）をカバー又は遮蔽可能であればよく、通気口を確実に封止するため、前記のように、通気口よりも幅広であってもよい。
【００６１】
なお、延出又は余剰部は、断面逆Ｕ字状などの形態で、整流板からフード（排気口の内壁）に向かって通気口の開口部側に傾斜又は湾曲して通気口をカバーするのが好ましい。このような形態で通気口をカバーすると、通気口への気流の侵入方向に向かって、延出又は余剰部が内方から外方に傾斜してアーチ状に湾曲させることができるので、大きな吸引力が作用しても延出又は余剰部の形状を保持しつつ、確実かつ円滑に汚染成分を捕捉できる。
【００６２】
フィルタ本体は、前記筒状部を備えている必要はなく、枠状又はリング状シートで構成してもよく、帯状体で構成された環状フィルタ本体であってもよい。このようなフィルタ本体も少なくとも通気口（環状通気口など）をカバー可能な幅を有している。枠状又はリング状フィルタ本体の幅は、整流板とフード（排気口の内壁）とに両端部を仮止めするため、仮止め部の余裕をみて通気口（環状通気口など）よりも大きく形成されている。すなわち、少なくとも通気口と整流板の周壁とをカバー可能な幅を有している。
【００６３】
また、フィルタ本体は少なくとも前記整流板と関連して仮止め可能であればよい。フィルタ本体と整流板との仮止めやフィルタ本体の延出又は余剰部と通気口のフード（排気口の内壁）とを仮止めするための仮止め手段は、例えば、磁石による磁気的手段、ゴム紐（伸縮性紐状体）による弾性収縮手段、面ファスナやフック、熊手状係止部材、ファスナーなどの係止又は係合手段、粘着剤や接着剤（両面粘着又は両面接着テープを含む）などの貼着手段などであってもよい。また、嵌合手段又は装着手段として、整流板やその周壁又は側壁と関連付けてフィルタ本体の端部が装着可能なスリット、ドットボタンやスナップ型ボタンなどの嵌合部又は装着部を形成してもよい。、これらの仮止め手段は、組み合わせてもよい。例えば、貼着手段と磁気的手段や係止手段とを組み合わせて、フィルタ本体を整流板に仮止めしてもよい。
【００６４】
仮止め手段は、整流板にフィルタ本体が取り付け可能である限り、前記整流板（又は通気口を形成するフード内壁）又はフィルタ本体に取り付けてもよく、前記整流板（又はフード内壁）とフィルタ本体との双方に取り付けてもよい。例えば、面ファスナなどの係合手段を整流板に取り付けてもよく、面ファスナを構成するループ部材（又は熊手状の交差帯を構成する一方の帯状体）を整流板及びフィルタ本体（又はフード内壁）のうち一方の部材に取り付け、鈎部材（又は他方の帯状体）を他方の部材に取り付けてもよい。磁石などの磁気的仮止め手段を整流板（又はフード内壁）とフィルタ本体との双方に取り付けてもよく、磁石を整流板（又はフード内壁）及びフィルタ本体のうち一方の部材に取り付け、鉄などの磁性体を被吸着体として他方の部材に取り付けてもよい。さらに、磁石とフード内壁との間にフィルタ本体を介在させ、磁石とフードとの磁気的吸引力を利用してフィルタを挟持させてもよい。
【００６５】
フィルタ本体を整流板に仮止めする場合、通常、仮止め手段は、少なくとも整流板（その周壁又は側壁を含む）でフィルタ本体を仮止め可能であり、通気口のフード（排気口の内壁）側ではフィルタ本体を仮止めする必要はない。例えば、図１〜図８などに示されるように、フィルタ本体の一方の端部を整流板に仮止めし、他方の端部を環状通気口のフード（排気口の内壁）に仮止めしてもよく、図９〜図１１に示されるように、筒状のフィルタ本体では、環状通気口を横断してカバーした状態で、フィルタ本体の一方の端部を整流板に仮止めし、他方の端部は自由端としてもよい。
【００６６】
伸縮性紐状体はリング状である必要はなく、フィルタ本体の周方向に所定間隔毎に取り付けられた複数の伸縮紐で構成してもよく、全体としてリング状に連なる紐状体の一部を伸縮性紐状体で構成してもよい。伸縮性紐状体を利用すると、整流板に対してフィルタ本体（筒状部など）を収縮力により確実かつ容易に仮止め可能である。
【００６７】
伸縮性紐状体の取り付け部位は、特に制限されないが、整流板に関連して仮止めするため、フィルタ本体のうち整流板よりも外方域である場合が多い。このような伸縮性紐状体を利用すると、整流板の端部（周壁又は側壁を含む）で収縮させ、少なくとも整流板の端部（外周壁を含む）でフィルタ本体に緊張力が作用させて仮止め可能である。特に、２つの伸縮性紐状体を、環状フィルタ部材のうち整流板の端部（周壁又は側壁を含む）の両側部に対応する部位に取り付けると、整流板の端部（周壁又は側壁を含む）においてフィルタ本体に緊張力を作用させ、整流板の周壁の両側部で確実かつ強固に仮止めできる。
【００６８】
さらに、仮止め手段は、フィルタ本体の周縁部及び／又は排気口の内壁に対して、連続して周方向にフィルタ本体を仮止めしてもよく、周方向に間隔をおいて複数箇所でフィルタ本体を仮止めしてもよい。
【産業上の利用可能性】
【００６９】
本発明のフィルタ装置を用いると、少なくとも前記整流板と関連してフィルタ本体を仮止め手段により仮止めし、前記排気口と整流板との間の通気口（環状通気口など）を前記フィルタ本体の延出又は余剰域（環状域、環状帯など）でカバーすることにより円滑にフィルタ装置を取り付けることができる。そのため、本発明は、整流板を備えた種々の排気ユニット、例えば、台所、厨房などの排気ユニットに適用でき、発生する油煙などの汚染物質を捕捉するのに有効である。
【図面の簡単な説明】
【００７０】
【図１】図１は本発明のフィルタ装置の一例を示す概略断面図である。
【図２】図２は図１のフィルタ装置を示す概略斜視図である。
【図３】図３は排気装置を示す概略斜視図である。
【図４】図４は本発明のフィルタ装置の他の例を示す概略断面図である。
【図５】図５は図４のフィルタ装置を示す概略斜視図である。
【図６】図６は本発明のフィルタ装置のさらに他の例を示す概略斜視図である。
【図７】図７は本発明のフィルタ装置の別の例を示す概略斜視図である。
【図８】図８は本発明のさらに別のフィルタ装置を示す概略斜視図である。
【図９】図９は本発明のフィルタ装置の他の例を示す概略断面図である。
【図１０】図１０は図９のフィルタ装置を示す概略斜視図である。
【図１１】図１１は図９及び図１０に示すフィルタ装置の変更例を示す概略断面図である。
【図１２】図１２は本発明のフィルタ装置のさらに他の例を示す概略断面図である。
【図１３】図１３は図１２のフィルタ装置を示す概略斜視図である。
【図１４】図１４は図１２及び図１３のフィルタ装置の変更例を示す概略斜視図である。
【図１５】図１５は本発明のフィルタ装置のさらに別の例を示す概略斜視図である。
【図１６】図１６は図１５のフィルタ装置が装着可能な排気装置を示す概略斜視図である。
【図１７】図１７は本発明が適用できる換気装置の他の例を示す概略図である。
【符号の説明】
【００７１】
Ｅ…排気口
Ｆ…フード
１…排気ユニット
２…金属フィルタ
３，１３，２３…整流板
３ａ，１３ａ…周壁（外周壁）
４，１４，２４…通気口
５，１５，２５，３５，４５，５５，７５，８５，９５…フィルタ装置
６，１６，２６，３６，４６，５６，６６，７６，８６，９６…フィルタ本体
６ｂ，１６ｂ，２６ｂ，３６ｂ，４６ｂ，８６ｂ，８６ｃ，９６ｂ…延出又は余剰部
１６ａ，８６ａ…環状フィルタ部
７，１７ａ，１７ｂ，２７ａ，２７ｂ，３７ａ，３７ｂ，４７ａ，４７ｂ，９７ａ，９７ｂ…伸縮性紐状体
８…仮止め手段（面ファスナ）
５７，７７…仮止め手段
９７ｃ…紐状体
【図１】
2005127645.tif 000003
【図２】
2005127645.tif 000004
【図３】
2005127645.tif 000005
【図４】
2005127645.tif 000006
【図５】
2005127645.tif 000007
【図６】
2005127645.tif 000008
【図７】
2005127645.tif 000009
【図８】
2005127645.tif 000010
【図９】
2005127645.tif 000011
【図１０】
2005127645.tif 000012
【図１１】
2005127645.tif 000013
【図１２】
2005127645.tif 000014
【図１３】
2005127645.tif 000015
【図１４】
2005127645.tif 000016
【図１５】
2005127645.tif 000017
【図１６】
2005127645.tif 000018
【図１７】
2005127645.tif 000019